(57)【特許請求の範囲】
【請求項１】
第１装置が介在する第１経路で第２装置と第１無線通信を行う第１通信部と、
公衆網を利用した経路であって、前記第１経路とは異なる第２経路で前記第２装置と、前記第１無線通信よりも高速にデータの送受信が可能な第２無線通信を行う第２通信部と、
前記第１装置から送信された起動要求情報が前記第１通信部で受信されると、前記第２通信部を起動する制御部とを備える
ことを特徴とする通信装置。
【請求項２】
前記第１通信部は、前記第２通信部が前記第２無線通信で使用する周波数を表す周波数情報を前記第１装置から受信し、
前記第２通信部は、前記周波数情報で表される前記周波数で前記第２装置と前記第２無線通信を行う
ことを特徴とする請求項１に記載の通信装置。
【請求項３】
前記第１通信部は、前記第２通信部と前記公衆網との接続状態を表す状態情報を前記第１装置に送信する
ことを特徴とする請求項１または請求項２に記載の通信装置。
【請求項４】
請求項１乃至請求項３のいずれか一項に記載の通信装置と、前記第１装置とを備える
ことを特徴とする通信システム。
【請求項５】
前記第１装置は、前記第２無線通信の通信種別を表す種別情報を前記通信装置に送信し、
前記第１通信部が前記種別情報を前記第１装置から受信すると、前記第２通信部は、前記種別情報で表される前記通信種別で前記第２無線通信を行う
ことを特徴とする請求項４に記載の通信システム。
【請求項６】
前記第１装置は、特定情報を前記通信装置以外の装置から受信すると、前記起動要求情報を前記通信装置へ送信する
ことを特徴とする請求項４または請求項５に記載の通信システム。
【請求項７】
前記特定情報は、前記通信装置の記憶領域で記憶されているソフトウェアの更新を指示する更新情報であり、
前記第２通信部は、起動後、前記ソフトウェアの更新プログラムを前記通信装置以外の装置から受信し、
前記制御部は、前記更新プログラムを実行し、前記ソフトウェアの更新を行う
ことを特徴とする請求項６に記載の通信システム。
【請求項８】
第１装置が介在する第１経路で第２装置と第１無線通信を行う第１通信部と、公衆網を利用した経路であって、前記第１経路とは異なる第２経路で前記第２装置と、前記第１無線通信よりも高速にデータの送受信が可能な第２無線通信を行う第２通信部とを用いて、
前記第１装置から送信された起動要求情報が前記第１通信部で受信されると、前記第２通信部を起動する
ことを特徴とする通信方法。
【請求項９】
第１装置が介在する第１経路で第２装置と第１無線通信を行う第１通信部と、公衆網を利用した経路であって、前記第１経路とは異なる第２経路で前記第２装置と、前記第１無線通信よりも高速にデータの送受信が可能な第２無線通信を行う第２通信部とに付随するコンピュータに、前記第１装置から送信された起動要求情報が前記第１通信部で受信されると、前記第２通信部を起動する制御部を
実現させるためのプログラム。
【発明の詳細な説明】
【技術分野】
【０００１】
本発明は、一般に通信装置、通信システム、通信方法およびプログラムに関し、より詳細には公衆網を介して通信を行う通信装置、通信システム、通信方法およびプログラムに関する発明である。
【背景技術】
【０００２】
近年、省電力効果を得ることができるコードレス電話装置が提案されている（例えば、特許文献１参照）。
【０００３】
特許文献１に記載のコードレス電話装置は、親機と子機とを備える。
【０００４】
親機は、所定の無線通信方式で子機と音声データの送受信を行う親機側無線通信手段と、電話回線側から起動情報を検出する起動情報検出手段と、上記無線通信方式とは異なる特定通信方式で子機と通信を行う親機側補助通信手段とを備えている。
【０００５】
子機は、上記無線通信方式により親機と音声データの送受信を行う子機側無線通信手段と、上記特定通信方式で親機と通信を行う子機側補助通信手段とを備えている。
【０００６】
このコードレス電話装置では、通常、親機側無線通信手段および子機側無線通信手段は停止している。起動情報検出手段で起動情報が検出されると、親機は、親機側無線通信を起動し、かつ親機側補助通信手段で子機側無線通信手段を起動させるコマンドを送信する。子機は、子機側補助通信手段でコマンドが受信されると、子機側無線通信手段を起動する。
【０００７】
親機側無線通手段および子機側無線通信手段が起動すると、子機側無線通信手段は、所定の無線通信方式で親機側無線通信手段を介して電話の発信元との間で音声データの送受信を行う。
【０００８】
このように、特許文献１に記載のコードレス電話装置では、通常、親機側無線通信手段および子機側無線通信手段を停止させ、通話時にこれらの手段を起動することで、省電力化を図っている。
【先行技術文献】
【特許文献】
【０００９】
【特許文献１】特開２０１３−１６８８４号公報
【発明の概要】
【発明が解決しようとする課題】
【００１０】
特許文献１に記載のコードレス電話装置では、通信の待ち受け時の省電力の効果は期待できる。
【００１１】
ところで、需要者から、通話などの通信時における省電力化の要望がある。
【００１２】
そこで、本発明は、上記事由に鑑みてなされており、その目的は、通信時においても省電力化を図ることができる通信装置、通信システム、通信方法およびプログラムを提供することにある。
【課題を解決するための手段】
【００１３】
本発明の通信装置は、第１装置が介在する第１経路で第２装置と第１無線通信を行う第１通信部と、公衆網を利用した経路であって、前記第１経路とは異なる第２経路で前記第２装置と、前記第１無線通信よりも高速にデータの送受信が可能な第２無線通信を行う第２通信部と、前記第１装置から送信された起動要求情報が前記第１通信部で受信されると、前記第２通信部を起動する制御部とを備えることを特徴とする。
【００１４】
また、本発明の通信システムは、上記通信装置と、前記第１装置とを備えることを特徴とする。
【００１５】
また、本発明の通信方法は、第１装置が介在する第１経路で第２装置と第１無線通信を行う第１通信部と、公衆網を利用した経路であって、前記第１経路とは異なる第２経路で前記第２装置と前記第１無線通信よりも高速にデータの送受信が可能な第２無線通信を行う第２通信部とを用いて、前記第１装置から送信された起動要求情報が前記第１通信部で受信されると、前記第２通信部を起動することを特徴とする。
【００１６】
また、本発明のプログラムは、第１装置が介在する第１経路で第２装置と第１無線通信を行う第１通信部と、公衆網を利用した経路であって、前記第１経路とは異なる第２経路で前記第２装置と、前記第１無線通信よりも高速にデータの送受信が可能な第２無線通信を行う第２通信部とに付随するコンピュータに、前記第１装置から送信された起動要求情報が前記第１通信部で受信されると、前記第２通信部を起動する制御部を実現させるためのプログラムである。
【発明の効果】
【００１７】
上述した通信装置、通信システム、通信方法およびプログラムでは、通信時においても省電力化を図ることができる。
【図面の簡単な説明】
【００１８】
【図１】実施形態１の通信システムの構成および通信装置の構成を説明する図である。
【図２】実施形態１の通信システムの動作を説明するシーケンス図である。
【図３】実施形態１の変形例１の通信システムの動作を説明するシーケンス図である。
【図４】実施形態１の変形例２の通信システムの動作を説明するシーケンス図である。
【図５】実施形態１の変形例３の通信システムの動作を説明するシーケンス図ある。
【図６】実施形態２の通信システムの構成および通信装置の構成を説明する図である。
【図７】実施形態２の変形例１の通信システムの構成および通信装置の構成を説明する図である。
【図８】実施形態２の変形例１の通信システムの動作を説明するシーケンス図である。
【図９】実施形態２の変形例２の通信システムの構成および通信装置の構成を説明する図である。
【図１０】実施形態２の変形例２の通信システムの動作を説明するシーケンス図である。
【発明を実施するための形態】
【００１９】
１  実施形態１
ここでは、本実施形態の通信システム１０について、図１および図２を参照しながら説明する。
【００２０】
１．１  構成
通信システム１０は、図１に示すように、通信装置２０と第１装置３０とサーバ装置（第２装置）４０とを備えている。
【００２１】
通信装置２０および第１装置３０は、例えば同一の住宅に設置されており、通信システム１０は、通信装置２０および第１装置３０が設置された住宅の住居者の状況（安否など）をチェックするシステムである。
【００２２】
通信装置２０は、例えば電池で駆動し、第１装置３０は、商用電源から電力の供給を受けて駆動する。また、通信装置２０と第１装置３０との間では、電波を伝送媒体とする無線通信（第１無線通信）が行われている。ここで、通信装置２０と第１装置３０との間の無線通信では、データ量が比較的小さいデータがパケット化され無線で送受信される。第１無線通信は、後述する公衆網１２を介した通信よりも通信速度が低速な無線通信方式（第１通信方式）を用いた通信である。
【００２３】
第１装置３０は、図１に示すように、インターネットといったネットワーク１１を介して第２装置４０と接続している。なお、ネットワーク１１は、インターネットに限定されない。例えば、ネットワーク１１は、第１装置３０と第２装置４０との間で通信を可能とする技術であればよい。
【００２４】
通信装置２０は、図１に示す公衆網１２と接続して第２装置４０と通信を行うセルラー通信機能を有している。ここで、公衆網１２は、例えば携帯電話機の通信に用いられる携帯電話回線網（３Ｇ回線網、４Ｇ回線網）である。また、セルラー通信機能は、通常は起動しておらず、第２装置４０からの要求により起動される。セルラー通信機能は、公衆網１２を介して通話を行う通話機能と、パケット化されたデータ（音声データ、画像データ）を公衆網１２を介して送受信するパケット通信機能とを備えている。
【００２５】
第２装置４０は、ネットワーク１１を介して第１装置３０に、公衆網１２を介した第２無線通信（セルラー通信）の開始を指示するセルラー通信開始指示を送信する。ここで、セルラー通信は、上述した第１通信方式を用いた通信よりも通信速度が高速で、第１通信方式で用いられるデータよりもデータ量が大きいデータの送受信が可能な通信方式（第２通信方式）を用いた通信である。
【００２６】
第１装置３０は、第２装置４０からセルラー通信開始指示を受信すると、セルラー通信機能の起動を要求する起動要求情報を、上述した第１無線通信で通信装置２０へ送信する。
【００２７】
通信装置２０は、起動要求情報を第１装置３０から受信すると、セルラー通信機能を起動し、公衆網１２および基地局１３，１４を介して第２装置４０と接続し、セルラー通信で第２装置４０とデータの送受信を行う。
【００２８】
このように、通信装置２０は、図１に示すように、第１装置３０が介在した第１経路１５で第２装置４０と通信を行うともに、公衆網１２を利用した経路であって、第１経路１５とは異なる第２経路１６で第２装置４０と通信を行う。
【００２９】
これにより、第２装置４０は、住居者の音声および画像といったデータを、セルラー通信を利用して通信装置２０から取得することができる。
【００３０】
次に、通信装置２０、第１装置３０および第２装置４０について詳細に説明する。
【００３１】
（１）通信装置２０
通信装置２０は、図１に示すように、第１通信部２１、第２通信部２２、制御部２３、音声入力部２４、撮影部２５、音声出力部２６および表示部２７を備える。通信装置２０は、プロセッサやメモリを有しており、制御部２３の機能は、メモリに記憶されているプログラムをプロセッサが実行することにより実現される。
【００３２】
第１通信部２１は、アンテナ２１ａを介して第１装置３０と第１無線通信を行う通信器である。第１通信部２１は、第１装置３０から起動要求情報を受信すると、第２通信部２２の起動要求を制御部２３へ出力する。
【００３３】
第２通信部２２は、アンテナ２２ａを介して公衆網１２を利用することでセルラー通信を行う通信器である。セルラー通信を行わない場合には、電力は第２通信部２２に供給されていない。第２通信部２２は、後述する制御部２３により起動されると、基地局１３との接続の準備および在圏要求といった公衆網１２との接続の準備に係る処理（接続準備処理）を行う。第２通信部２２は、公衆網１２との接続が完了すると、制御部２３から送信指示があったデータ（画像、音声）を、セルラー通信で第２装置４０へ送信する。また、第２通信部２２は、第２装置４０からデータ（画像、音声）を受信すると、受信したデータを制御部２３へ出力する。
【００３４】
第２通信部２２は、画像や音声といった、第１通信部２１で送受信されるデータよりも大きいデータを送受信するため、第１通信部２１よりも消費電力が大きい。
【００３５】
制御部２３は、通信装置２０の全体動作を制御する。制御部２３は、第１通信部２１から起動要求を受け取ると、第２通信部２２を起動、例えば第２通信部２２への電力の供給を開始する。
【００３６】
第２通信部２２と公衆網１２との接続が完了すると、制御部２３は、第２装置４０との第２無線通信を第２通信部２２に行わせる。制御部２３は、音声入力部２４から受け取った音声データを、通話機能およびパケット通信機能のいずれかの機能を用いて第２装置４０に送信するように第２通信部２２を制御する。制御部２３は、通話機能およびパケット通信機能のいずれかの機能を用いて、第２装置４０から送信された音声データを受信するように第２通信部２２を制御する。制御部２３は、第２装置４０から送信された音声データを、第２通信部２２を介して受け取ると、受け取った音声データを音声出力部２６へ出力する。また、制御部２３は、撮影部２５から受け取った画像データを、パケット通信機能を用いて第２装置４０に送信するように第２通信部２２を制御する。制御部２３は、サーバ装置４０で送信された画像データを、第２通信部２２を介して受け取ると、受け取った画像データを表示部２７へ出力する。
【００３７】
音声入力部２４は、例えばマイクであり、住居者の音声が入力されると、入力された音声に基づく音声データを制御部２３へ出力する。
【００３８】
撮影部２５は、例えばカメラであり、撮影された画像（静止画像、動画像）に基づく画像データを制御部２３へ出力する。
【００３９】
音声出力部２６は、例えばスピーカであり、音声データに基づく音声を出力する。
【００４０】
表示部２７は、例えば液晶、ＥＬ（ｅｌｅｃｔｒｏｌｕｍｉｎｅｓｃｅｎｃｅ）等のディスプレイであり、画像データに基づく画像を出力する。
【００４１】
なお、通信装置２０は、音声入力部２４、撮影部２５、音声出力部２６および表示部２７を全て備える必要はない。例えば音声データの通信のみを行う場合には、通信装置２０は、音声入力部２４および音声出力部２６を備えていればよいし、画像データの通信のみを行う場合には、通信装置２０は、撮影部２５および表示部２７を備えていればよい。
【００４２】
（２）第１装置３０
第１装置３０は、図１に示すように、送受信部３１および第３通信部３２を備えている。
【００４３】
送受信部３１は、ＮＩＣ（Ｎｅｔｗｏｒｋ  Ｉｎｔｅｒｆａｃｅ  Ｃａｒｄ）を含んでおり、第２装置４０とネットワーク１１を介してデータの送受信を行う。具体的には、送受信部３１は、第２装置４０からセルラー通信開始指示を受信すると、受信したセルラー通信開始指示を第３通信部３２へ出力する。
【００４４】
第３通信部３２は、アンテナ３２ａを介して第１通信部２１と第１無線通信を行う無線器である。具体的には、第３通信部３２は、送受信部３１からセルラー通信開始指示を受け取ると、起動要求情報を第１通信部２１へ送信する。
【００４５】
（３）第２装置４０
第２装置４０は、自装置の利用者から通信装置２０および第１装置３０が設置された住宅の住居者の状況のチェックを開始する指示を受け付けると、セルラー通信開始指示をネットワーク１１を介して第１装置３０へ送信する。
【００４６】
第２装置４０は、公衆網１２を介して通信装置２０と接続がされている場合には、自装置の利用者から、画像を要求するデータ、音声を要求するデータを受け付けると、受け付けたデータを公衆網１２を介して通信装置２０へ送信する。また、第２装置４０は、利用者の音声が入力されると、入力された音声に基づく音声データを公衆網１２を介して通信装置２０へ送信する。
【００４７】
１．２  動作
ここでは、第２装置４０がセルラー通信開始指示を送信した場合での通信装置２０および第１装置３０の動作について、図２に示すシーケンス図を用いて説明する。
【００４８】
第１装置３０の第３通信部３２は、セルラー通信開始指示を第２装置４０から受け取ると、起動要求情報を通信装置２０へ送信する（ステップＳ５）。
【００４９】
通信装置２０の第１通信部２１は、第１装置３０から起動要求情報を受け取ると、制御部２３へ起動要求を出力する（ステップＳ１０）。
【００５０】
制御部２３は、第１通信部２１から起動要求を受け取ると、第２通信部２２を起動する（ステップＳ１５）。
【００５１】
第２通信部２２は、公衆網１２との接続の準備に係る処理（接続準備処理）を行う（ステップＳ２０）。
【００５２】
第２通信部２２と公衆網１２との接続が完了すると、制御部２３は、通信処理を第２通信部２２に行わせる（ステップＳ２５）。通信処理とは、セルラー通信を用いて、音声データや画像データを送受信する処理である。
【００５３】
１．３  変形例１
本変形例では、第２装置４０が、セルラー通信開始時にセルラー通信開始指示を送信する機能に加えて、セルラー通信に使用可能な周波数を表す周波数情報を、ネットワーク１１を介して第１装置３０へ送信する機能をも有している。
【００５４】
この場合における通信装置２０および第１装置３０の動作について、図３に示すシーケンス図を用いて説明する。
【００５５】
第１装置３０の第３通信部３２は、セルラー通信開始指示および周波数情報を第２装置４０から受け取ると、起動要求情報および周波数情報を通信装置２０へ送信する（ステップＳ５，Ｓ６）。
【００５６】
通信装置２０の第１通信部２１は、第１装置３０から起動要求情報および周波数情報を受け取ると、制御部２３へ起動要求および周波数情報を出力する（ステップＳ１０，Ｓ１１）。
【００５７】
制御部２３は、第１通信部２１から起動要求を受け取ると、第２通信部２２を起動し（ステップＳ１５）、周波数情報で表される周波数（使用周波数）を第２通信部２２へ出力する（ステップＳ１６）。
【００５８】
第２通信部２２は、公衆網１２との接続の準備に係る処理（接続準備処理）を行う（ステップＳ２０）。このとき、第２通信部２２は、制御部２３から受け取った使用周波数で、公衆網１２を介して第２装置４０との接続を行う。
【００５９】
第２通信部２２と公衆網１２との接続が完了すると、制御部２３は、第２通信部２２に通信処理を行わせる（ステップＳ２５）。
【００６０】
１．４  変形例２
本変形例では、通信装置２０は、さらに、自装置が公衆網１２との接続状態を表す状態情報を、第１装置３０へ送信する機能を有している。
【００６１】
この場合における通信装置２０および第１装置３０の動作について、図４に示すシーケンス図を用いて説明する。
【００６２】
図４に示すステップＳ５〜ステップＳ２０は、図２のステップＳ５〜ステップＳ２０と同様であるので、ここでの説明は省略する。
【００６３】
第２通信部２２は、ステップＳ２０で基地局１３との同期が完了すると、同期完了通知を、制御部２３へ通知する（ステップＳ２１）。
【００６４】
制御部２３は、同期完了通知を第２通信部２２から受け取ると、接続状態として自装置と公衆網１２とが接続していることを表す状態情報を、第１通信部２１を介して第１装置３０へ送信する（ステップＳ２２，Ｓ２３）。
【００６５】
また、第２通信部２２と公衆網１２との接続が完了すると、制御部２３は、第２通信部２２に通信処理を行わせる（ステップＳ２５）。
【００６６】
１．５  変形例３
本変形例では、第２装置４０が、セルラー通信開始時にセルラー通信開始指示を送信する機能に加えて、通信装置２０との通信種別を表す種別情報を、ネットワーク１１を介して第１装置３０へ送信する機能をも有している。ここで、通信種別とは、通話機能およびパケット通信機能のいずれかであり、種別情報とは、利用する機能として通話機能およびパケット通信機能のいずれかを表す情報である。
【００６７】
この場合における通信装置２０および第１装置３０の動作について、図５に示すシーケンス図を用いて説明する。
【００６８】
第１装置３０の第３通信部３２は、セルラー通信開始指示および種別情報を第２装置４０から受け取ると、起動要求情報および種別情報を通信装置２０へ送信する（ステップＳ５，Ｓ７）。
【００６９】
通信装置２０の第１通信部２１は、第１装置３０から起動要求情報および種別情報を受け取ると、制御部２３へ起動要求および周波数情報を出力する（ステップＳ１０，Ｓ１２）。
【００７０】
制御部２３は、第１通信部２１から起動要求を受け取ると、第２通信部２２を起動する（ステップＳ１５）。
【００７１】
第２通信部２２は、公衆網１２との接続の準備に係る処理（接続準備処理）を行う（ステップＳ２０）。
【００７２】
第２通信部２２と公衆網１２との接続が完了すると、制御部２３は、第２通信部２２に通信処理を行わせる（ステップＳ２５）。このとき、制御部２３は、第１装置３０から受け取った種別情報で表される通信種別で第２装置４０とのセルラー通信を第２通信部２２に行わせる。例えば、種別情報で表される通信種別が通話機能である場合には、通話機能を用いたセルラー通信が行われる。また、通信種別がパケット通信機能である場合には、パケット通信機能を用いたセルラー通信が行われる。
【００７３】
２  実施形態２
実施形態１では、第１装置３０の第３通信部３２は、第２装置４０からセルラー通信開始指示を受信すると、起動要求情報を送信したが、本実施形態では、第３通信部３２は、他の特定の情報を受信（取得）した場合に起動要求情報を送信する。
【００７４】
なお、本実施形態では、実施形態１と同様の構成要素には同一の符号を付して説明を適宜省略する。
【００７５】
２．１  構成および動作
本実施形態の第１装置３０は、図６に示すように、実施形態１の構成に加えて、さらに検知器３３を備えている。
【００７６】
検知器３３は、例えば火災検知器であり、第１装置３０が設置された住宅で火災が発生したことを検知すると、火災検知したことを表す火災検知情報を第３通信部３２へ通知する。
【００７７】
第３通信部３２は、検知器３３から火災検知情報を受け取ると、起動要求情報を通信装置２０へ第１無線通信で送信する。
【００７８】
通信装置２０の構成は、実施形態１と同様であるので、ここでの説明は省略する。
【００７９】
また、第３通信部３２が起動要求情報を送信する契機となる情報が、実施形態１と異なるだけであり、起動要求情報が送信された以降の第１装置３０および通信装置２０の動作は、図２に示すシーケンス図と同様である。そのため、この場合における第１装置３０および通信装置２０の動作の説明は省略する。
【００８０】
２．２  変形例１
上記では、第３通信部３２は、第１装置３０の検知器３３から起動要求情報を送信する契機となる情報を取得したが、本変形例では、外部の装置である送信装置４１から起動要求情報を送信する契機となる情報を取得（受信）する。
【００８１】
なお、本変形例では、実施形態２と同様の構成要素には同一の符号を付して説明を適宜省略する。
【００８２】
本変形例では、通信システム１０は、さらに、送信装置４１を備える。
【００８３】
送信装置４１は、地震等の災害が発生したことを示す緊急情報を公衆網１２を介して送信する装置である。
【００８４】
本変形例の第１装置３０は、図７に示すように、実施形態２の第１装置３０の構成において、検知器３３の代わりに第４通信部３４を備える。
【００８５】
第４通信部３４は、アンテナ３４ａを介して公衆網１２を利用することでセルラー通信を行う通信器である。第４通信部３４は、商用電源から常時電力の供給を受けている。第４通信部３４は、送信装置４１から緊急情報を公衆網１２を介して受信すると、緊急情報を受信したことを第３通信部へ通知する。
【００８６】
第３通信部３２は、第４通信部３４から緊急情報を受信したことの通知を受け取ると、起動要求情報を、通信装置２０へ第１無線通信で送信する。
【００８７】
通信装置２０では、起動要求情報を受信すると、第２通信部２２が起動される。そして、第２通信部２２は、公衆網１２を介して送信装置４１から緊急情報を受信する。
【００８８】
制御部２３は、第２通信部２２で緊急情報が受信されると、住居者に緊急情報が受信されたことを報知する。
【００８９】
次に、本変形例における第１装置３０および通信装置２０の動作について、図８に示すシーケンス図を用いて説明する。
【００９０】
第１装置３０の第４通信部３４は、送信装置４１から公衆網１２を介して、緊急情報を受信すると、受信したことを第３通信部へ通知する（ステップＳ１，Ｓ４）。
【００９１】
第３通信部３２は、緊急情報を受信した通知を第４通信部３４から受け取ると、起動要求情報を通信装置２０へ送信する（ステップＳ５）。
【００９２】
通信装置２０の第１通信部２１は、第１装置３０から起動要求情報を受け取ると、制御部２３へ起動要求を出力する（ステップＳ１０）。
【００９３】
制御部２３は、第１通信部２１から起動要求を受け取ると、第２通信部２２を起動する（ステップＳ１５）。
【００９４】
第２通信部２２は、公衆網１２との接続の準備に係る処理（接続準備処理）を行う（ステップＳ２０）。
【００９５】
第２通信部２２と公衆網１２との接続が完了すると、第２通信部２２は、公衆網１２を介して送信装置４１から緊急情報を受信する（ステップＳ３０）。受信後、制御部２３は、緊急情報が受信されたことを報知する。例えば、制御部２３は、緊急情報に含まれる内容を音声出力部２６を用いて音声で通知したり、ディスプレイ（図示せず）で表示したりする。
【００９６】
なお、本変形例では、送信装置４１が緊急情報を送信するとしたが、これに限定されない。緊急情報は、第２装置４０で送信されてもよい。
【００９７】
２．３  変形例２
実施形態２の変形例１では送信装置４１は、緊急情報を送信するとしたが、本変形例では、通信装置２０に記憶されているアプリケーションソフトウェアの更新を指示する更新情報およびアプリケーションソフトウェアの更新に用いる更新プログラムを送信する。
【００９８】
なお、本変形例では、実施形態１および実施形態２の変形例１と同様の構成要素には同一の符号を付して説明を適宜省略する。
【００９９】
第１装置３０の第４通信部３４は、更新情報を送信装置４１から受信すると、受信したことを第３通信部へ通知する。
【０１００】
第３通信部３２は、更新情報を受信した通知を第４通信部３４から受け取ると、起動要求情報を通信装置２０へ送信する。
【０１０１】
通信装置２０は、図９に示すように、実施形態２の変形例１の構成に加えて、さらに記憶部２８を備えている。
【０１０２】
記憶部２８は、データ、プログラム等を記憶するためのメモリである。記憶部２８は、アプリケーションソフトウェア（以下、アプリケーション）２９を記憶している。
【０１０３】
第２通信部２２は、公衆網１２を介して送信装置４１から、アプリケーション２９の更新に用いられる更新プログラムを受信すると、受信した更新プログラムを制御部２３へ出力する。
【０１０４】
制御部２３は、第２通信部２２から更新プログラムを受け取ると、更新プログラムを実行して、アプリケーション２９の更新を行う。
【０１０５】
次に、本変形例における第１装置３０および通信装置２０の動作について、図１０に示すシーケンス図を用いて説明する。
【０１０６】
第１装置３０の第４通信部３４は、送信装置４１から公衆網１２を介して、更新情報を受信すると、受信したことを第３通信部へ通知する（ステップＳ３，Ｓ４）。
【０１０７】
第３通信部３２は、更新情報を受信した通知を第４通信部３４から受け取ると、起動要求情報を通信装置２０へ送信する（ステップＳ５）。
【０１０８】
通信装置２０の第１通信部２１は、第１装置３０から起動要求情報を受け取ると、制御部２３へ起動要求を出力する（ステップＳ１０）。
【０１０９】
制御部２３は、第１通信部２１から起動要求を受け取ると、第２通信部２２を起動する（ステップＳ１５）。
【０１１０】
第２通信部２２は、公衆網１２との接続の準備に係る処理（接続準備処理）を行う（ステップＳ２０）。
【０１１１】
第２通信部２２と公衆網１２との接続が完了すると、第２通信部２２は、公衆網１２を介して送信装置４１から更新プログラムを受信すると（ステップＳ４０）、受信した更新プログラムを制御部２３へ出力する（ステップＳ４５）。
【０１１２】
制御部２３は、更新処理を行う（ステップＳ５０）。具体的には、制御部２３は、更新プログラムを実行して、記憶部２８に記憶しているアプリケーション２９の更新を行う。
【０１１３】
なお、本変形例では、第１装置３０が更新情報を受信すると、即座に起動要求情報を通信装置２０に送信したが、これに限定されない。
【０１１４】
第１装置３０は、スケジューリング機能により、起動要求情報を送信するタイミングを制御してもよい。具体的には、第１装置３０は、スケジューリング機能により、起動要求情報を送信する時間帯（送信時間帯）を予め設定する。送信時間帯は、通信装置２０と送信装置４１との間でのセルラー通信でデータを送受信する頻度が低い時間帯であって、例えば午前１時から午前２時までの時間帯である。第１装置３０は、更新情報を受信すると、受信した時刻が送信時間帯に属さない場合には、時刻が送信時間帯に属するまで起動要求情報の送信を抑止する。第１装置３０は、時刻が送信時間帯に属すると、起動要求情報の送信を行う。
【０１１５】
また、本変形例では、送信装置４１が更新情報および更新プログラムを送信するとしたが、これに限定されない。更新情報および更新プログラムは、第２装置４０で送信されてもよい。または、更新情報および更新プログラムのいずれか一方を、送信装置４１が送信し、他方を第２装置４０が送信してもよい。
【０１１６】
また、更新対象は、アプリケーションソフトウェアに限らない。更新対象は、ＯＳ（オペレーティングシステム）であってもよい。
【０１１７】
３  その他の変形例
以上、実施形態１および実施形態２に基づいて本発明について説明したが、本発明は上述した実施形態に限られない。例えば、以下のような変形例が考えられる。
【０１１８】
（１）上記各実施形態において、第２通信部２２は、セルラー機能を備え、公衆網１２に直接接続したが、これに限定されない。
【０１１９】
第２通信部２２は、通信装置２０と基地局１３との間に存在する無線中継器を介して公衆網１２に接続してもよい。このとき、第２通信部２２は、第１無線通信よりも通信速度が高速な無線通信により、無線中継器と通信を行う。
【０１２０】
また、第２通信部２２が無線中継器を介して通信を行う場合、第２通信部２２は、公衆網１２としてインターネット等のネットワークを利用し、第１装置３０を介することなく第２装置４０と通信を行ってもよい。
【０１２１】
（２）上記各実施形態において、制御部２３は、起動要求を受け取ると、第２通信部２２に電力の供給を開始することで、第２通信部２２の起動を行ったが、これに限定されない。
【０１２２】
第２通信部２２はスリープ状態となっており、制御部２３は、起動要求を受け取ると、第２通信部２２のスリープ状態を解除することで、第２通信部２２の起動を行ってもよい
（３）上記実施形態および変形例を組み合わせてもよい。
【０１２３】
４  まとめ
以上説明したように、通信装置２０は、第１通信部２１と、第２通信部２２と、制御部２３とを備えることを特徴とする。第１通信部２１は、第１装置３０が介在する第１経路１５で第２装置４０と第１無線通信を行う。第２通信部２２は、公衆網１２を利用した経路であって、第１経路１５とは異なる第２経路１６で第２装置４０と、第１無線通信よりも高速にデータの送受信が可能な第２無線通信を行う。制御部２３は、第１装置３０から送信された起動要求情報が第１通信部２１で受信されると、第２通信部２２を起動する。
【０１２４】
この構成によると、通信装置２０の第２通信部２２は、第１装置３０を介することなく公衆網１２を利用した第２経路で第２装置４０と通信を行う。
【０１２５】
従来、子機（上述した通信装置に相当）が、通話等の通信を行うための通信部（従来の子機側無線通信手段に相当）を起動すると、この通信部（子機側無線通信手段）は、親機（上述した第１装置に相当）を介して通信先との通信を行う。つまり、従来の通話等の通信時には、子機だけでなく、親機においてもデータの送受信に必要な電力が消費される。
【０１２６】
一方、上述した通信装置２０の第２通信部２２は、通話等の通信時には、第１通信部２１を介さないので、データの送受信に必要な電力は第２通信部２２のみで消費される。したがって、上述した通信装置２０は、通信時においても省電力化を図ることができる。
【０１２７】
ここで、第１通信部２１は、第２通信部２２が第２無線通信で使用する周波数を表す周波数情報を第１装置３０から受信し、第２通信部２２は、周波数情報で表される周波数で第２装置４０と第２無線通信を行うことが好ましい。
【０１２８】
通常、無線通信を行う場合には、接続先との間で、無線通信に利用される周波数帯に属する各周波数をサーチして使用可能な周波数を検出する必要がある。
【０１２９】
一方、上述した通信装置２０は、第２無線通信で使用する周波数を予め受信するので、使用可能な周波数のサーチを行う必要がない。そのため、通信装置２０は、接続までに要する時間を短縮することができる。
【０１３０】
ここで、第１通信部２１は、第１通信部２１は、第２通信部２２と公衆網１２との接続状態を表す状態情報を第１装置３０に送信することが好ましい。
【０１３１】
この構成によると、通信装置２０は、公衆網１２との接続状態を第１装置３０に通知することができる。例えば、第１装置３０は、その接続状態を利用者に通知したり、第２装置４０へ通知したりすることができる。
【０１３２】
また、通信システム１０は、上記いずれかの通信装置２０と、第１装置３０とを備えることを特徴とする。
【０１３３】
この構成によると、通信システム１０は、通信時においても省電力化を図ることができる。
【０１３４】
ここで、第１装置３０は、第２無線通信の通信種別を表す種別情報を通信装置２０に送信し、第１通信部２１が種別情報を第１装置３０から受信すると、第２通信部２２は、種別情報で表される通信種別で第２無線通信を行うことが好ましい。
【０１３５】
この構成によると、通信システム１０の第１装置３０は、第２通信部２２の通信種別を通信装置２０に予め通知することができる。
【０１３６】
ここで、第１装置３０は、特定情報を通信装置２０以外の装置から受信すると、起動要求情報を通信装置２０へ送信することが好ましい。
【０１３７】
この構成によると、通信システム１０の第１装置３０は、第２通信部２２の起動の契機を通信装置２０に通知することができる。
【０１３８】
ここで、特定情報は、通信装置２０の記憶部２８（記憶領域）で記憶されているソフトウェア（アプリケーションソフトウェア２９およびＯＳ）の更新を指示する更新情報である。第２通信部２２は、起動後、ソフトウェアの更新プログラムを通信装置２０以外の装置から受信すると、制御部２３は、更新プログラムを実行し、ソフトウェアの更新を行うことが好ましい。
【０１３９】
この構成によると、通信システム１０の第１装置３０は、第２通信部２２がソフトウェアの更新プログラムを受信する契機を通知することができる。
【０１４０】
また、通信方法は、第１通信部２１と第２通信部２２とを用いて、第１装置から送信された起動要求情報が第１通信部２１で受信されると、第２通信部２２を起動することを特徴とする。第１通信部２１は、第１装置３０が介在する第１経路１５で第２装置４０と第１無線通信を行う。第２通信部２２は、公衆網１２を利用した経路であって、第１経路１５とは異なる第２経路１６で第２装置４０と、第１無線通信よりも高速にデータの送受信が可能な第２無線通信を行う。
【０１４１】
この通信方法によると、通信時においても省電力化を図ることができる。
【０１４２】
また、プログラムは、第１通信部２１と第２通信部２２とに付随するコンピュータに、第１装置３０から送信された起動要求情報が第１通信部２１で受信されると、第２通信部２２を起動する制御部を実現させるためのプログラムである。第１通信部２１は、第１装置３０が介在する第１経路１５で第２装置４０と第１無線通信を行う。第２通信部２２は、公衆網１２を利用した経路であって、第１経路１５とは異なる第２経路１６で第２装置４０と、第１無線通信よりも高速にデータの送受信が可能な第２無線通信を行う。
【０１４３】
このプログラムによると、通信時においても省電力化を図ることができる。
【符号の説明】
【０１４４】
１０    通信システム
１２    公衆網
１５    第１経路
１６    第２経路
２０    通信装置
２１    第１通信部
２２    第２通信部
２３    制御部
２８    記憶部（記憶領域）
２９    アプリケーションソフトウェア（ソフトウェア）
３０    第１装置
４０    サーバ装置（第２装置）
【図１】
0006455773.tif 000002
【図２】
0006455773.tif 000003
【図３】
0006455773.tif 000004
【図４】
0006455773.tif 000005
【図５】
0006455773.tif 000006
【図６】
0006455773.tif 000007
【図７】
0006455773.tif 000008
【図８】
0006455773.tif 000009
【図９】
0006455773.tif 000010
【図１０】
0006455773.tif 000011